(57)【要約】【課題】複数の操作ボタンが設けられた別の操作画面を呼び出す処理、および、元の操作画面に戻る処理を、簡易な操作で行うことができる。【解決手段】表示入力装置は、表示ディスプレイと、タッチパネルと、表示制御部と、受付部と、処理実行部とを備える。表示制御部は、表示ディスプレイに第１の画面を表示させている間に受付部が長押しタッチ操作を受け付けた場合には、表示ディスプレイに複数の操作ボタンが設けられた第２の画面を表示させ、長押しタッチ操作を受け付けなくなった場合には、表示ディスプレイに第２の画面の表示を止めさせる。処理実行部は、表示制御部により第２の画面が表示されている間に、操作ボタンへのタッチ操作に基づき受付部が操作ボタンを選択する選択指示を受け付けた場合に、当該選択された操作ボタンに関連付けられた処理を実行する。【選択図】図４
2015207213.tif 000002
【特許請求の範囲】
【請求項１】
表示ディスプレイと、
前記表示ディスプレイによる表示動作を制御する表示制御部と、
前記表示ディスプレイの前面に配置されるタッチパネルと、
前記タッチパネルに対するタッチ操作を受け付ける受付部と、
前記受付部により受け付けられたタッチ操作に応じた処理を実行する処理実行部と、を備え、
前記表示制御部は、前記表示ディスプレイに第１の画面を表示させるとともに、当該第１の画面を表示させている間に前記受付部が前記タッチパネル上の同じ位置へのタッチ操作を予め定められた時間連続して受け付けた場合には、前記表示ディスプレイに複数の操作ボタンが設けられた第２の画面を表示させ、前記受付部が前記同じ位置への連続したタッチ操作を受け付けなくなった場合には、前記表示ディスプレイに前記第２の画面の表示を止めさせ、
前記処理実行部は、前記表示制御部により前記第２の画面が表示されている間に、前記表示ディスプレイ上の前記操作ボタンが設けられた領域に対応する前記タッチパネル上の領域内の位置へのタッチ操作に基づき、前記受付部が前記操作ボタンを選択する選択指示を受け付けた場合に、当該選択された操作ボタンに関連付けられた処理を実行する、表示入力装置。
【請求項２】
前記受付部は、前記表示ディスプレイ上の前記操作ボタンが設けられた領域に対応する前記タッチパネル上の領域内の位置へのタッチ操作を受け付け、かつ、当該タッチ操作を受け付けている間に前記同じ位置への連続したタッチ操作を受け付けなくなった場合に、前記操作ボタンを選択する選択指示を受け付ける、請求項１に記載の表示入力装置。
【請求項３】
前記表示制御部は、前記第２の画面が前記第１の画面に重なった状態でユーザーに視認される表示を行わせる、請求項１または請求項２に記載の表示入力装置。
【請求項４】
前記処理実行部は、第３の画面を前記表示ディスプレイに表示させる処理に関連付けられた操作ボタンを選択する選択指示を前記受付部が受け付けた場合に、前記表示制御部により前記第３の画面を前記表示ディスプレイに表示させ、前記表示ディスプレイ上の前記操作ボタンが設けられた領域に対応する前記タッチパネル上の領域内の位置へのタッチ操作を受け付けている間に、前記第３の画面が表示された領域以外の領域に対応する前記タッチパネル上の領域内の位置へのタッチ操作を受け付けた場合に、前記表示ディスプレイに前記第３の画面の表示を止めさせる、請求項２に記載の表示入力装置。
【請求項５】
表示ディスプレイによる表示動作を制御する表示制御部と、
前記表示ディスプレイの前面に配置されるタッチパネルに対するタッチ操作を受け付ける受付部と、
前記受付部により受け付けられたタッチ操作に応じた処理を実行する処理実行部として、コンピューターを機能させ、
更に、前記表示制御部が、前記表示ディスプレイに第１の画面を表示させるとともに、当該第１の画面を表示させている間に前記受付部が前記タッチパネル上の同じ位置へのタッチ操作を予め定められた時間連続して受け付けた場合には、前記表示ディスプレイに複数の操作ボタンが設けられた第２の画面を表示させ、前記受付部が前記同じ位置への連続したタッチ操作を受け付けなくなった場合には、前記表示ディスプレイに前記第２の画面の表示を止めさせ、
前記処理実行部が、前記表示制御部により前記第２の画面が表示されている間に、前記表示ディスプレイ上の前記操作ボタンが設けられた領域に対応する前記タッチパネル上の領域内の位置へのタッチ操作に基づき、前記受付部が前記操作ボタンを選択する選択指示を受け付けた場合に、当該選択された操作ボタンに関連付けられた処理を実行するように、コンピューターを機能させる表示入力制御プログラム。
【発明の詳細な説明】
【技術分野】
【０００１】
本発明は、表示入力装置、および表示入力制御プログラムに関し、特に、タッチパネルを用いた操作画面の表示および操作指示の入力技術に関する。
【背景技術】
【０００２】
タッチパネルを搭載した画像形成装置や携帯端末が知られている。これらの機器では、表示ディスプレイに複数の操作ボタン（ソフトキー）が設けられた操作画面を表示し、当該操作ボタンの選択をタッチパネル機能を用いて受け付ける。
【０００３】
近年では、表示ディスプレイの面積の確保や意匠性の向上の観点から、ハードキーの数をより減らした機器も登場している。この場合、以前ではハードキーを用いて受け付けていた処理を、ソフトキーを用いて受け付ける必要がある。しかしながら、表示ディスプレイの面積には限りがあり、機器が有する機能に関連付けられた操作ボタンを一度に表示することができない。特定の操作ボタンの選択を受け付けた際に表示される別の操作画面に操作ボタンを設けることもできるが、この場合、よく使う機能等を使用するために操作ボタンを複数回選択する必要があり操作性が煩雑になる。
【０００４】
特許文献１には、タッチパネル上の任意の位置を長押しする操作を受け付けた場合に、別の操作画面を表示する技術が開示されている。この技術を用いることで、よく使う機能等を使用する際に必要となる操作を簡易なものにすることができる。
【先行技術文献】
【特許文献】
【０００５】
【特許文献１】特開２０１０−１２７６６９号公報
【発明の概要】
【発明が解決しようとする課題】
【０００６】
しかしながら、上記の従来技術では、タッチパネル上の任意の位置を長押しする操作を行って別の操作画面を表示させた後、再び元の操作画面に戻る際に元の操作画面を戻るために専用に設けられた操作ボタンを選択する操作を行う必要がある。誤って別の操作画面を表示させた場合には元の操作画面に戻る必要があるが、この場合に操作ボタンを選択する必要があるのは操作が煩雑でありユーザー利便性に欠ける。
【０００７】
本発明は、上記の事情に鑑みなされたものであり、複数の操作ボタンが設けられた別の操作画面を呼び出す処理、および、元の操作画面に戻る処理を、簡易な操作で行うことが可能な表示入力装置、および表示入力制御プログラムを提供することを目的とする。
【課題を解決するための手段】
【０００８】
本発明の一局面にかかる表示入力装置は、表示ディスプレイと、前記表示ディスプレイによる表示動作を制御する表示制御部と、前記表示ディスプレイの前面に配置されるタッチパネルと、前記タッチパネルに対するタッチ操作を受け付ける受付部と、前記受付部により受け付けられたタッチ操作に応じた処理を実行する処理実行部と、を備え、前記表示制御部は、前記表示ディスプレイに第１の画面を表示させるとともに、当該第１の画面を表示させている間に前記受付部が前記タッチパネル上の同じ位置へのタッチ操作を予め定められた時間連続して受け付けた場合には、前記表示ディスプレイに複数の操作ボタンが設けられた第２の画面を表示させ、前記受付部が前記同じ位置への連続したタッチ操作を受け付けなくなった場合には、前記表示ディスプレイに前記第２の画面の表示を止めさせ、前記処理実行部は、前記表示制御部により前記第２の画面が表示されている間に、前記表示ディスプレイ上の前記操作ボタンが設けられた領域に対応する前記タッチパネル上の領域内の位置へのタッチ操作に基づき、前記受付部が前記操作ボタンを選択する選択指示を受け付けた場合に、当該選択された操作ボタンに関連付けられた処理を実行する、表示入力装置である。
【０００９】
また、本発明の一局面にかかる表示入力制御プログラムは、表示ディスプレイによる表示動作を制御する表示制御部と、前記表示ディスプレイの前面に配置されるタッチパネルに対するタッチ操作を受け付ける受付部と、前記受付部により受け付けられたタッチ操作に応じた処理を実行する処理実行部として、コンピューターを機能させ、更に、前記表示制御部が、前記表示ディスプレイに第１の画面を表示させるとともに、当該第１の画面を表示させている間に前記受付部が前記タッチパネル上の同じ位置へのタッチ操作を予め定められた時間連続して受け付けた場合には、前記表示ディスプレイに複数の操作ボタンが設けられた第２の画面を表示させ、前記受付部が前記同じ位置への連続したタッチ操作を受け付けなくなった場合には、前記表示ディスプレイに前記第２の画面の表示を止めさせ、前記処理実行部が、前記表示制御部により前記第２の画面が表示されている間に、前記表示ディスプレイ上の前記操作ボタンが設けられた領域に対応する前記タッチパネル上の領域内の位置へのタッチ操作に基づき、前記受付部が前記操作ボタンを選択する選択指示を受け付けた場合に、当該選択された操作ボタンに関連付けられた処理を実行するように、コンピューターを機能させる表示入力制御プログラムである。
【発明の効果】
【００１０】
本発明によれば、複数の操作ボタンが設けられた別の操作画面を呼び出す処理、および、元の操作画面に戻る処理を、簡易な操作で行うことができる。
【図面の簡単な説明】
【００１１】
【図１】本発明の一実施形態にかかる表示入力装置の一例である画像形成装置の外観を示す斜視図である。
【図２】本発明の一実施形態にかかる表示入力装置の一例である画像形成装置の主要内部構成を示す機能ブロック図である。
【図３】本発明の一実施形態にかかる表示入力装置の一例である画像形成装置の操作部の外観を示す正面図である。
【図４】本発明の一実施形態にかかる表示入力装置の一例である画像形成装置の動作の流れを示すフローチャートである。
【図５】本発明の一実施形態にかかる表示入力装置の一例である画像形成装置の表示ディスプレイに表示される操作画面の一例を示す図である。
【図６】（Ａ）および（Ｂ）は、本発明の一実施形態にかかる表示入力装置の一例である画像形成装置の表示ディスプレイに表示される操作画面の一例を示す図である。
【図７】本発明の一実施形態にかかる表示入力装置の一例である画像形成装置の表示ディスプレイに表示される設定画面の一例を示す図である。
【図８】（Ａ）および（Ｂ）は、本発明の一実施形態にかかる表示入力装置の一例である画像形成装置の表示ディスプレイに表示される操作画面の一例を示す図である。
【図９】本発明の補足にかかる表示入力装置の一例である画像形成装置の動作の流れを示すフローチャートである。
【図１０】（Ａ）および（Ｂ）は、本発明の補足にかかる表示入力装置の一例である画像形成装置の表示ディスプレイに表示される操作画面の一例を示す図である。
【図１１】（Ａ）および（Ｂ）は、本発明の補足にかかる表示入力装置の一例である画像形成装置の表示ディスプレイに表示される操作画面の一例を示す図である。
【図１２】（Ａ）および（Ｂ）は、本発明の補足にかかる表示入力装置の一例である画像形成装置の表示ディスプレイに表示される操作画面の一例を示す図である。
【発明を実施するための形態】
【００１２】
以下、本発明の一実施形態にかかる表示入力装置、および表示入力制御プログラムについて図面を参照して説明する。
【００１３】
図１は、本発明の一実施形態にかかる表示入力装置の一例である画像形成装置の外観を示す斜視図である。図２は、本発明の一実施形態にかかる表示入力装置の一例である画像形成装置の主要内部構成を示す機能ブロック図である。図３は、本発明の一実施形態にかかる表示入力装置の一例である画像形成装置の操作部の外観を示す正面図である。
【００１４】
画像形成装置１は、例えば、コピー機能、プリンター機能、スキャナー機能、及びファクシミリ機能のような複数の機能を兼ね備えた複合機である。図１に示すように、画像形成装置１は、装置本体２と、装置本体２の上方に配置された原稿読取部１０と、原稿読取部１０と装置本体２との間に設けられた連結部３とから概略構成される。
【００１５】
画像形成装置１が原稿読取動作を行う場合、原稿給送部４により給送されてくる原稿又は不図示の原稿載置ガラスに載置された原稿を原稿読取部１０が光学的に読み取り、画像データを生成する。原稿読取部１０により生成された画像データは内蔵ＨＤＤ又はネットワーク接続されたコンピューター等に保存される。
【００１６】
画像形成装置１が画像形成動作を行う場合、上記原稿読取動作により生成された画像データ又は内蔵ＨＤＤに記憶されている画像データ等に基づいて、画像形成部２０が、帯電、露光及び現像の工程により不図示の感光体ドラム上にトナー像を形成する。給紙部３０から給紙された用紙は、用紙搬送部４０により画像形成装置１の内部に形成された用紙搬送路を搬送され、画像形成装置１内の所定の位置でトナー像が転写される。この後、用紙に定着処理が施され、排出トレイ５に排出される。
【００１７】
画像形成装置１は、上記の原稿読取部１０、画像形成部２０、給紙部３０、および用紙搬送部４０に加えて、ＨＤＤ５０、通信インターフェイス６０、操作部７０、および制御ユニット１００等を備えている。
【００１８】
ＨＤＤ５０は、大容量の記憶装置であって、原稿読取部１０によって読み取られた画像データ等を記憶する。
【００１９】
通信インターフェイス６０は、ＬＡＮチップ等の通信モジュールを備え、ネットワーク接続された他の画像形成装置やパーソナルコンピューター等との間でデータ通信を行う。
【００２０】
操作部７０は、表示ディスプレイ７１、タッチパネル７２、及び操作キー部７３を備える。
【００２１】
表示ディスプレイ７１は、液晶ディスプレイ（ＬＣＤ：Liquid Crystal Display）や有機ＥＬ（ＯＬＥＤ：Organic Light-Emitting Diode）ディスプレイで構成されている。表示ディスプレイ７１は、制御ユニット１００の後述する表示制御部１０２による制御に基づき、複数の操作ボタンが設けられた操作画面等を表示する。図３では、画像形成装置１のホーム画面としての操作画面Ｄ１が表示ディスプレイ７１に表示されている。
【００２２】
タッチパネル７２は、所謂抵抗膜方式や静電容量方式等のタッチパネルである。タッチパネル７２は、表示ディスプレイ７１の前面に配置され、表示ディスプレイ７１の表示画面上におけるユーザーによる接触をその接触位置と共に検出する。タッチパネル７２は、ユーザーによる接触を検出すると、その接触点の座標位置を示す検出信号を制御ユニット１００の後述する受付部１０３等に出力する。なお、タッチパネル７２には、表示画面への直接の接触がなくても、ユーザーの指等が表示画面に対して一定距離まで接近した場合に当該指等を検出するタッチパネルも含まれる。このため、本実施形態でいう「接触」には、表示画面への接触がなくても指等が上記一定距離まで接近したことがタッチパネル７２の機能により検出される状態も、実質的に接触したとして含まれるものとする。
【００２３】
操作キー部７３は、例えば、メニューを呼び出すメニューキー、メニューを構成するＧＵＩのフォーカスを移動させる矢印キー、メニューを構成するＧＵＩに対して確定操作を行う決定キー、数値キー等のハードキーであり、表示ディスプレイ７１に表示される設定メニューに対する操作をユーザーから受け付ける。
【００２４】
制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又はＨＤＤ５０に記憶された表示入力制御プログラムが上記のＣＰＵにより実行されることにより、制御部１０１、表示制御部１０２、受付部１０３、および処理実行部１０４として機能する。なお、制御ユニット１００の制御部１０１、表示制御部１０２、受付部１０３、および処理実行部１０４は、上記の表示入力制御プログラムに基づく動作によらず、それぞれハード回路により構成されてもよい。
【００２５】
制御部１０１は、画像形成装置１全体の動作制御を司る。
【００２６】
受付部１０３は、タッチパネル７２から出力される検出信号に基づき、ユーザーにより入力されたユーザー操作を特定する。そして、受付部１０３は、特定したユーザー操作を受け付け、当該ユーザー操作に対応する制御信号を表示制御部１０２や処理実行部１０４等に出力する。
【００２７】
ここでユーザー操作には、スクロール操作（スワイプ操作ともいう）、タッチ操作、ピンチ操作等がある。タッチ操作とは、タッチパネル７２を押下する操作であり、通常のタッチ操作と長押しタッチ操作とに分類される。通常のタッチ操作は、短時間（予め定められた時間より短い時間）タッチパネル７２を押下する操作をいい、長押しタッチ操作は、長時間（予め定められた時間以上の時間）タッチパネル７２を押下する操作をいう。例えば、ユーザーがタッチパネル７２を指で押下すると、タッチパネル７２は押下を検出した位置を示す検出信号を受付部１０３に出力する。受付部１０３は、タッチパネル７２から出力される上記検出信号から、ユーザーにより押下されたタッチパネル７２上の位置を特定する。また、受付部１０３は、同じ位置の押下を示す検出信号が連続して出力される時間を予め定められた時間と比較して、その時間が予め定められた時間よりも短い場合には、ユーザーにより入力されたユーザー操作が通常のタッチ操作であると特定し、その時間が予め定められた時間以上である場合には、ユーザーにより入力されたユーザー操作が長押しタッチ操作であると特定する。
【００２８】
表示制御部１０２は、表示ディスプレイ７１による表示動作を制御する機能を有する。表示制御部１０２は、画像形成装置１の起動後、画像形成装置１のホーム画面としての操作画面Ｄ１を表示ディスプレイ７１に表示させる。そして、表示制御部１０２は、受付部１０３が長押しタッチ操作を受け付けた場合に、操作画面Ｄ１とは別の操作画面Ｄ２（図６（Ｂ）参照）を表示ディスプレイ７１に表示させる。
【００２９】
処理実行部１０４は、受付部１０３により受け付けられたユーザー操作に応じた処理を実行する。例えば、処理実行部１０４は、操作画面Ｄ１の操作ボタンを選択する指示を受付部１０３が受け付けた場合に、当該選択された操作ボタンに関連付けられた処理を実行する。
【００３０】
続いて、上記の構成を備える画像形成装置１の動作について説明する。図４は、本発明の一実施形態にかかる表示入力装置の一例である画像形成装置１の動作の流れを示すフローチャートである。また、図５、図６（Ａ）、図６（Ｂ）、図７、図８（Ａ）、および図８（Ｂ）は、本発明の一実施形態にかかる画像形成装置１の表示ディスプレイ７１に表示される操作画面の一例を示す図である。
【００３１】
画像形成装置１が起動した後（ステップＳ１１においてＹＥＳ）、表示制御部１０２は、画像形成装置１のホーム画面として予め定められた操作画面（第１の操作画面）を表示ディスプレイ７１に表示させる（ステップＳ１２）。図５に示す例では、画像形成装置１が有する機能が関連付けられた操作ボタンｉｍ１１〜ｉｍ１６が設けられた操作画面Ｄ１が表示ディスプレイ７１に表示されている。例えば、操作ボタンｉｍ１６には、インターネットブラウザ機能が関連付けられている。
【００３２】
操作画面Ｄ１の表示後、受付部１０３は、操作画面Ｄ１に設けられた操作ボタンの選択を受け付けたか否かを判定する（ステップＳ１３）。具体的には、受付部１０３は、表示ディスプレイ７１上の操作ボタンが設けられた領域に対応するタッチパネル７２上の領域内の位置への通常のタッチ操作を受け付けた場合に、その操作ボタンの選択を受け付けたものと判定する。
【００３３】
受付部１０３が操作ボタンの選択を受け付けた場合（ステップＳ１３においてＹＥＳ）、処理実行部１０４は、選択された操作ボタンに関連付けられた処理を実行する（ステップＳ１４）。例えば、図５に示す例において受付部１０３が操作ボタンｉｍ１６の選択を受け付けた場合には、処理実行部１０４は、制御ユニット１００のＲＯＭやＨＤＤ５０に記憶されているインターネットブラウザプログラムを起動させる。
【００３４】
受付部１０３が操作ボタンの選択を受け付けない場合（ステップＳ１３においてＮＯ）、受付部１０３は、タッチパネル７２に対する長押しタッチ操作を受け付けたか否かを判定する（ステップＳ１５）。当該処理において受付部１０３が受け付ける長押しタッチ操作は、タッチパネル７２上の任意の位置への長押しタッチ操作であり、表示ディスプレイ７１上の操作ボタンが設けられていない領域に対応するタッチパネル７２上の領域内の位置への長押しタッチ操作のみならず、表示ディスプレイ７１上の操作ボタンが設けられた領域に対応するタッチパネル７２上の領域内の位置への長押しタッチ操作も含む。
【００３５】
受付部１０３が長押しタッチ操作を受け付けた場合（ステップＳ１５においてＹＥＳ）、表示制御部１０２は、操作画面Ｄ１とは別の操作画面Ｄ２（第２の操作画面）を表示ディスプレイ７１に表示させる（ステップＳ１６）。この際、表示制御部１０２は、操作画面Ｄ２が操作画面Ｄ１に重なった状態でユーザーに視認される表示を行わせる。
【００３６】
図６（Ａ）に示す例では、タッチパネル７２上の位置Ａ１に長押しタッチ操作が入力されている。この場合、表示ディスプレイ７１には、表示制御部１０２の制御のもと、画像形成装置１が有する機能が関連付けられた所謂ファンクションキーとしての操作ボタンｉｍ２１〜ｉｍ２４が設けられた操作画面Ｄ２が表示される。例えば、操作ボタンｉｍ２２には、スキャン機能が関連付けられている。
【００３７】
また、画像形成装置１は、長押しタッチ操作をトリガとして表示される上記の操作画面Ｄ２に設けられる操作ボタンｉｍ２１〜ｉｍ２４に関連付けられる機能を予め設定することができる。表示制御部１０２は、受付部１０３が操作ボタンｉｍ２１〜ｉｍ２４に関連付けられる機能を設定する際に、図７に示す設定画面Ｄ６を表示ディスプレイ７１に表示させる。受付部１０３は、当該設定画面Ｄ６に基づき入力されるユーザー操作に従い、操作ボタンｉｍ２１〜ｉｍ２４に関連付けられる機能の変更を受け付ける。そして、受付部１０３は、機能の変更を受け付けた内容をＨＤＤ５０に記憶させる。
【００３８】
ここで、ホーム画面としての操作画面Ｄ１に設けられる操作ボタンｉｍ１１〜ｉｍ１６は、ファックス等の使用頻度が高い機能に関連付けられた操作ボタンであり、長押しタッチ操作をトリガとして表示される操作画面Ｄ２に設けられる操作ボタンｉｍ２１〜ｉｍ２４は、ホーム画面としての操作画面Ｄ１に設けられる機能よりは使用頻度が低いものの比較的使用頻度が高いスキャン等の機能に関連付けられた操作ボタンである。表示ディスプレイ７１のサイズには限りがあり、これらの操作ボタンを１つの操作画面に設けることが困難である。また、１つの操作画面にこれらの多くの操作ボタンを設けた場合には、各操作ボタンの視認性が悪くなる。この点、本発明の一実施形態にかかる画像形成装置１によれば、タッチパネル７２上の任意の位置を長押しするという簡易な操作で、ファンクションキーとしての操作ボタンｉｍ２１〜ｉｍ２４を呼び出すことができる。
【００３９】
図４に戻って、操作画面Ｄ２の表示後、受付部１０３は、長押しタッチ操作が解除されたか否かを判定する（ステップＳ１７）。
【００４０】
受付部１０３が長押しタッチ操作の解除を受け付けた場合（ステップＳ１７においてＹＥＳ）、表示制御部１０２は、表示ディスプレイ７１に操作画面Ｄ２の表示を中止させ（ステップＳ１８）、ステップＳ１２の処理に戻る。これにより、表示ディスプレイ７１の表示が、図６（Ｂ）に示すような操作画面Ｄ２が操作画面Ｄ１に重なった状態で視認される表示から、図５に示すようなホーム画面としての操作画面Ｄ１のみの表示に戻る。
【００４１】
このように、本発明の一実施形態にかかる画像形成装置１では、タッチパネル７２上の任意の位置を長押しする操作を行って操作画面Ｄ２を表示させた後、再びホーム画面としての操作画面Ｄ１に戻る際には、長押ししていた指をタッチパネル７２上から離すだけでよい。一般の画像形成装置では、操作画面を戻る際には、操作画面を戻るために専用に設けられた操作ボタンを選択する操作を行う必要があり、本発明の一実施形態にかかる画像形成装置１は、このような一般の画像形成装置と比較して操作が簡易であるため、ユーザー利便性に優れる。
【００４２】
受付部１０３が長押しタッチ操作の解除を受け付けない場合（ステップＳ１７においてＮＯ）、受付部１０３は操作画面Ｄ２に設けられた操作ボタンを選択する選択指示を受け付けたか否かを判定する（ステップＳ１９、ステップＳ２０）。
【００４３】
ステップＳ１９の処理では、受付部１０３は、操作画面Ｄ２に設けられた操作ボタンへの通常のタッチ操作を受け付けたか否かを判定する。受付部１０３が操作ボタンへの通常のタッチ操作を受け付けた場合には（ステップＳ１９においてＹＥＳ）、ステップＳ２０の処理を行う。一方、受付部１０３が操作ボタンへの通常のタッチ操作を受け付けない場合には（ステップＳ１９においてＮＯ）、操作画面Ｄ２に設けられた操作ボタンを選択する選択指示を受け付けなかったものと判定して、ステップＳ１７の処理に戻る。
【００４４】
ステップＳ２０の処理では、受付部１０３は、操作画面Ｄ１に対する長押しタッチ操作が解除されたか否かを判定する。受付部１０３が操作画面Ｄ１に対する長押しタッチ操作が解除されたと判定した場合（ステップＳ２０においてＹＥＳ）、操作画面Ｄ２に設けられた操作ボタンを選択する選択指示を受け付けたものと判定して、ステップＳ２１の処理を行う。一方、受付部１０３が操作画面Ｄ１に対する長押しタッチ操作が解除されたと判定されない場合（ステップＳ２０においてＮＯ）、操作画面Ｄ２に設けられた操作ボタンを選択する選択指示を受け付けなかったものと判定して、ステップＳ１９の処理に戻る。
【００４５】
すなわち、上記のステップＳ１９とステップＳ２０との処理では、受付部１０３は、操作画面Ｄ２に設けられた操作ボタンへの通常のタッチ操作を受け付け、かつ、当該タッチ操作を受け付けている間に操作画面Ｄ１への長押しタッチ操作を受け付けなくなった場合に、操作画面Ｄ２に設けられた操作ボタンを選択する選択指示を受け付ける。
【００４６】
ステップＳ１９およびステップＳ２０の処理で、受付部１０３が操作画面Ｄ２に設けられた操作ボタンを選択する選択指示を受け付けたものと判定した場合、処理実行部１０４は、選択指示を受け付けた操作ボタンに関連付けられた処理を実行する（ステップＳ２１）。
【００４７】
上記のステップＳ１９〜Ｓ２１の処理を、図８（Ａ）及び図８（Ｂ）を用いて具体的に説明する。
【００４８】
図８（Ａ）に示す例では、図６（Ｂ）に示す状態から、人差し指でタッチパネル７２上の位置Ａ１への長押しタッチ操作が継続されながら、人差し指とは別の指である親指で表示ディスプレイ７１上の操作画面Ｄ２の操作ボタンｉｍ２２が設けられた領域に対応するタッチパネル７２上の領域内の位置Ｂ１への通常のタッチ操作が入力されている。この時点では、受付部１０３は、操作ボタンｉｍ２２に対する通常のタッチ操作を受け付けるが、操作ボタンｉｍ２２を選択する選択指示を受け付けない。
【００４９】
図８（Ｂ）に示す例では、図８（Ａ）に示す状態から、人差し指をタッチパネル７２上から離して位置Ａ１への長押しタッチ操作が解除されている。受付部１０３は、操作ボタンｉｍ２２に対する通常のタッチ操作を受け付けている間であって、位置Ａ１への長押しタッチ操作が解除されたタイミングで、操作ボタンｉｍ２２を選択する選択指示を受け付ける。処理実行部１０４は、受付部１０３が操作ボタンｉｍ２２を選択する選択指示を受け付けたことをトリガとして、操作ボタンｉｍ２２に関連付けられたスキャン処理を実行する。この例では、処理実行部１０４は、原稿給送部４および原稿読取部１０を制御して、原稿給送部４により給送されてくる原稿又は原稿載置ガラスに載置された原稿を原稿読取部１０に読み取らせて画像データを生成させる。
【００５０】
このように、本発明の一実施形態にかかる画像形成装置１では、操作画面Ｄ２に設けられた操作ボタンに対する通常のタッチ操作に加えて、操作画面Ｄ１への長押しタッチ操作が解除されたことをトリガとして、操作画面Ｄ２に設けられた操作ボタンに関連付けられた処理を実行するため、操作画面Ｄ２に設けられた操作ボタンを誤って選択して、誤った処理を実行してしまうおそれが低い。また、操作ボタンに関連付けられた処理を実行する際の操作方法に関して、新たな操作方法を提供することができ、ユーザーによる操作の幅を広げることができる。
【００５１】
＜補足＞
ここでは、操作画面Ｄ２に設けられた操作ボタンのうち、新たな操作画面（第３の操作画面）を表示させる処理に関連付けられた操作ボタンを選択する選択指示を受付部が受け付けた場合の処理について説明する。
【００５２】
図９は、本発明の補足にかかる画像形成装置１の動作の流れを示すフローチャートである。なお、図４のフローチャートに示す処理と同内容の処理については説明を省略する。また、図１０（Ａ）、図１０（Ｂ）、図１１（Ａ）、図１１（Ｂ）、図１２（Ａ）、および図１２（Ｂ）は、本発明の補足にかかる画像形成装置１の表示ディスプレイ７１に表示される操作画面の一例を示す図である。
【００５３】
ステップＳ３９およびステップＳ４０の処理において、受付部１０３が操作画面Ｄ２に設けられた操作ボタンのうち、第３の操作画面である操作画面Ｄ３を表示させる処理に関連付けられた操作ボタンを選択する選択指示を受け付けたと判定した場合（ステップＳ４０においてＹＥＳ）、表示制御部１０２は、当該選択指示を受け付けた操作ボタンに関連付けられた操作画面Ｄ３を表示ディスプレイ７１に表示させる（ステップＳ４１）。
【００５４】
図１０（Ａ）に示す例では、図６（Ｂ）に示す状態から、人差し指でタッチパネル７２上の位置Ａ１への長押しタッチ操作が継続されながら、人差し指とは別の指である親指で表示ディスプレイ７１上の操作画面Ｄ２の操作ボタンｉｍ２４が設けられた領域に対応するタッチパネル７２上の領域内の位置Ｂ２への通常のタッチ操作が入力されている。
【００５５】
図１０（Ｂ）に示す例では、図１０（Ａ）に示す状態から、人差し指をタッチパネル７２上から離して位置Ａ１への長押しタッチ操作が解除されている。これにより、受付部１０３は、操作ボタンｉｍ２４を選択する選択指示を受け付ける。操作ボタンｉｍ２４には、画像形成装置１に予め登録されたプログラムを表示するための操作画面Ｄ３を表示ディスプレイ７１に表示させる処理が関連付けられている。表示制御部１０２は、操作ボタンｉｍ３１〜ｉｍ３４が設けられた操作画面Ｄ３を表示部７０に表示させる。この際、表示制御部１０２は、操作画面Ｄ３が操作画面Ｄ１および操作画面Ｄ２に重なった状態でユーザーに視認される表示を行わせる。
【００５６】
ステップＳ４１の処理後、受付部１０３は、表示ディスプレイ７１上の操作画面Ｄ３が表示された領域以外の領域に対応するタッチパネル７２上の領域内の位置へのタッチ操作を受け付けたか否かを判定する（ステップＳ４２）。
【００５７】
受付部１０３が操作画面Ｄ３が表示された領域以外の領域に対応するタッチパネル７２上の領域内の位置へのタッチ操作を受け付けた場合（ステップＳ４２においてＹＥＳ）、表示制御部１０２は、表示ディスプレイ７１に操作画面Ｄ３の表示を中止させ（ステップＳ４３）、ステップＳ３６の処理に戻る。
【００５８】
図１２（Ａ）に示す例では、図１０（Ｂ）に示す状態から、人指し指で再度、表示ディスプレイ７１上の操作画面Ｄ３が表示された領域以外の領域に対応するタッチパネル７２上の領域内の位置Ａ３へのタッチ操作が入力されている。これにより、表示ディスプレイ７１の表示が、図１２（Ｂ）に示すような操作画面Ｄ２が操作画面Ｄ１に重なった状態で視認される表示に戻る。
【００５９】
このように、本発明の補足にかかる画像形成装置１では、操作画面Ｄ２に設けられた操作ボタンを選択して操作画面Ｄ３を表示させた後、再び操作画面Ｄ２に戻る際には、操作画面Ｄ２に設けられた操作ボタンに対するタッチ操作を継続させた状態で、再度別の指で操作画面Ｄ３以外の領域をタッチする操作を行えばよい。このため、操作画面を戻る際に、操作画面を戻るために専用に設けられた操作ボタンを選択する必要がなく、操作を簡易なものとすることができる。
【００６０】
一方、受付部１０３が操作画面Ｄ３が表示された領域以外の領域に対応するタッチパネル７２上の領域内の位置へのタッチ操作を受け付けない場合（ステップＳ４２においてＮＯ）、受付部１０３は操作画面Ｄ３に設けられた操作ボタンを選択する選択指示を受け付けたか否かを判定する（ステップＳ４４、ステップＳ４５）。
【００６１】
ステップＳ４４の処理では、受付部１０３は、操作画面Ｄ３に設けられた操作ボタンへの通常のタッチ操作を受け付けたか否かを判定する。受付部１０３が操作ボタンへの通常のタッチ操作を受け付けた場合には（ステップＳ４４においてＹＥＳ）、ステップＳ４５の処理を行う。一方、受付部１０３が操作ボタンへの通常のタッチ操作を受け付けない場合には（ステップＳ４４においてＮＯ）、操作画面Ｄ３に設けられた操作ボタンを選択する選択指示を受け付けなかったものと判定して、ステップＳ４２の処理に戻る。
【００６２】
ステップＳ４５の処理では、受付部１０３は、操作画面Ｄ２の操作ボタンに対するタッチ操作が解除されたか否かを判定する。受付部１０３が操作画面Ｄ２の操作ボタンに対するタッチ操作が解除されたと判定した場合（ステップＳ４５においてＹＥＳ）、操作画面Ｄ３に設けられた操作ボタンを選択する選択指示を受け付けたものと判定して、ステップＳ４６の処理を行う。一方、受付部１０３が操作画面Ｄ２の操作ボタンに対するタッチ操作が解除されたと判定されない場合（ステップＳ４５においてＮＯ）、操作画面Ｄ３に設けられた操作ボタンを選択する選択指示を受け付けなかったものと判定して、ステップＳ４４の処理に戻る。
【００６３】
ステップＳ４４およびステップＳ４５の処理で、受付部１０３が操作画面Ｄ３に設けられた操作ボタンを選択する選択指示を受け付けたものと判定した場合、処理実行部１０４は、選択指示を受け付けた操作ボタンに関連付けられた処理を実行する（ステップＳ４６）。
【００６４】
上記のステップＳ４４〜Ｓ４６の処理を、図１１（Ａ）及び図１１（Ｂ）を用いて具体的に説明する。
【００６５】
図１１（Ａ）に示す例では、図１０（Ｂ）に示す状態から、親指でタッチパネル７２上の位置Ｂ２へのタッチ操作が継続されながら、親指とは別の指である人差し指で表示ディスプレイ７１上の操作画面Ｄ３の操作ボタンｉｍ３２が設けられた領域に対応するタッチパネル７２上の領域内の位置Ａ２への通常のタッチ操作が入力されている。
【００６６】
図１１（Ｂ）に示す例では、図１１（Ａ）に示す状態から、親指をタッチパネル７２上から離して位置Ｂ２へのタッチ操作が解除されている。受付部１０３は、操作ボタンｉｍ３２に対する通常のタッチ操作を受け付けている間であって、位置Ｂ２へのタッチ操作が解除されたタイミングで、操作ボタンｉｍ３２を選択する選択指示を受け付ける。処理実行部１０４は、受付部１０３が操作ボタンｉｍ３２を選択する選択指示を受け付けたことをトリガとして、操作ボタンｉｍ３２に関連付けられた処理を実行する。この例では、処理実行部１０４は、制御ユニット１００のＲＯＭやＨＤＤ５０に記憶されているプログラム２を起動させる。
【００６７】
＜変形例＞
なお、本発明は、上記の実施の形態の構成に限られず種々の変形が可能である。
【００６８】
上記の実施の形態では、表示入力装置の一例として画像形成装置を示したが本発明は必ずしもこの場合に限定されない。本発明の一実施形態にかかる表示入力装置は、画像形成装置の他に、例えば、タブレット端末やスマートフォン等の携帯端末、パーソナルコンピューター、テレビ等に適応することができる。
【００６９】
また、上記実施の形態で説明した表示入力制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該表示入力制御プログラムを記録したコンピューター読み取り可能な非一時的な記録媒体が、本発明の一実施形態となる。
【符号の説明】
【００７０】
１     画像形成装置
７０   操作部
７１   表示ディスプレイ
７２   タッチパネル
７３   操作キー部
１００ 制御ユニット
１０１ 制御部
１０２ 表示制御部
１０３ 受付部
１０４ 処理実行部
【図１】
2015207213.tif 000003
【図２】
2015207213.tif 000004
【図３】
2015207213.tif 000005
【図４】
2015207213.tif 000006
【図５】
2015207213.tif 000007
【図６】
2015207213.tif 000008
【図７】
2015207213.tif 000009
【図８】
2015207213.tif 000010
【図９】
2015207213.tif 000011
【図１０】
2015207213.tif 000012
【図１１】
2015207213.tif 000013
【図１２】
2015207213.tif 000014